【手続補正書】
【提出日】平成18年11月27日(2006.11.27)
【手続補正１】
【補正対象書類名】明細書
【補正対象項目名】特許請求の範囲
【補正方法】変更
【補正の内容】
【特許請求の範囲】
【請求項１】  通信回線を介して画像データ処理装置と接続して画像データ処理システムを構成可能なデジタルカメラであって、
サムネイル画像を含む主画像ファイルを格納するための画像ファイル記憶手段と、
前記画像ファイル記憶手段に格納されている主画像ファイル中のサムネイル画像を前記通信回線を介して転送するサムネイル画像転送手段と、
前記通信回線を介して接続された画像データ処理装置からの転送要求に応じて主画像を転送する主画像転送手段とを有することを特徴とするデジタルカメラ。
【請求項２】  前記主画像転送手段は、転送する主画像の画素数を指定する転送要求が前記画像データ処理装置からあった場合には、前記画像ファイル記憶手段に格納されている主画像ファイルを指定された画素数に変換し、そのファイル内にサムネイル画像を含む画素数変換主画像ファイルを送信することを特徴とする請求項１に記載のデジタルカメラ。
【請求項３】  通信回線を介してデジタルカメラと接続して画像データ処理システムを構成可能な画像データ処理装置であって、
前記通信回線を介して接続されたデジタルカメラから転送された１つ以上のサムネイル画像を、前記デジタルカメラに格納されている主画像に対して１対１に対応可能に管理するサムネイル画像管理手段と、
前記サムネイル画像管理手段により管理されているサムネイル画像に対応する主画像の転送を前記デジタルカメラに要求する主画像転送要求手段とを有することを特徴とする画像データ処理装置。
【請求項４】  前記サムネイル画像管理手段に１対１に対応可能に管理されているサムネイル画像を表示装置に表示する表示手段と、
前記表示装置に表示された１つ以上のサムネイル画像から所望の画像を選択する選択手段とを有し、
前記主画像転送要求手段は、前記選択手段によって選択されたサムネイル画像を有する主画像の転送を前記デジタルカメラに要求することを特徴とする請求項３に記載の画像データ処理装置。
【請求項５】  前記デジタルカメラから転送された画像を印刷する印刷手段を有し、
前記印刷手段を用いて前記デジタルカメラから転送された主画像を印刷することを特徴とする前記請求項３または４に記載の画像データ処理装置。
【請求項６】  前記主画像転送要求手段は、前記印刷手段に合致する画素数を指定して主画像の転送を前記デジタルカメラに要求することを特徴とする請求項５に記載の画像データ処理装置。
【請求項７】  前記デジタルカメラから受信した画像ファイルをインターネットサーバーに格納する画像ファイル格納手段を有することを特徴とする請求項３〜６の何れか１項に記載の画像データ処理装置。
【請求項８】  前記画像ファイル格納手段は、前記デジタルカメラから受信したサムネイル画像を格納する場合に、前記デジタルカメラの画像ファイル記憶手段に格納されている主画像と同じディレクトリ構造と同じファイル名で画像記憶媒体に格納し、前記画像記憶媒体に格納したファイルがサムネイル画像であることを示すためにファイルの拡張子を変更することを特徴とする請求項３〜７の何れか１項に記載の画像データ処理装置。
【請求項９】  前記画像ファイル格納手段は、前記デジタルカメラから受信したサムネイル画像を格納する場合に、前記デジタルカメラの画像ファイル記憶手段に格納されている主画像の規格であるＤＣＦ（Ｄｅｓｉｇｎ  ｒｕｌｅ  ｆｏｒ  Ｃａｍｅｒａ  Ｆｉｌｅ  ｓｙｓｔｅｍ）規格に従ったディレクトリ構造及びファイル名をディレクトリ番号及びファイル番号の組み合わせで管理して、前記画像記憶媒体に格納したファイルがサムネイル画像であることを示すためにファイルの拡張子を変更することを特徴とする請求項３〜７の何れか１項に記載の画像データ処理装置。
【請求項１０】  前記画像ファイル格納手段は、前記デジタルカメラから主画像を受信した場合に、前記主画像に該当するサムネイル画像を削除し、前記ファイル内にサムネイル画像を有する主画像を格納することを特徴とする請求項３〜７の何れか１項に記載の画像データ処理装置。
【請求項１１】  前記画像ファイル格納手段は、前記デジタルカメラから主画像を受信した場合に、前記印刷処理を含む特定の処理にのみ前記主画像を使用し、既に受信している該当するサムネイル画像を削除せずに保持することを特徴とする請求項３〜１０の何れか１項に記載の画像データ処理装置。
【請求項１２】  前記画像ファイル格納手段は、前記デジタルカメラから主画像を受信した場合に、前記主画像に該当するサムネイル画像と前記受信した主画像との置き換えを行うか、これらの画像を置き換えずに前記印刷処理を含む特定の処理にのみ前記主画像を使用した後で、前記受信した主画像を廃棄するかをユーザーによって選択可能とすることを特徴とする請求項３〜１０の何れか１項に記載の画像データ処理装置。
【請求項１３】  前記通信回線を介して行う通信手段として、シリアル通信またはＵＳＢ通信を含む有線通信を用いることを特徴とする請求項３〜１２の何れか１項に記載の画像データ処理装置。
【請求項１４】  前記通信回線を介して行う通信手段として、ブルートゥース（Ｂｌｕｅｔｏｏｔｈ）通信またはモデム通信を含む無線通信を用いることを特徴とする請求項３〜１２の何れか１項に記載の画像データ処理装置。
【請求項１５】  前記デジタルカメラから受信して画像記憶媒体に格納した画像ファイル内にサムネイル画像を有する主画像に有効期限を設ける期限設定手段を有し、
前記期限設定手段によって設定された有効期限が切れた場合に、前記主画像内のサムネイル画像を該当画像ファイルとして残し、前記有効期限が切れた主画像自体は削除するようにしたことを特徴とする請求項３〜１２の何れか１項に記載の画像データ処理装置。
【請求項１６】  請求項１または２に記載のデジタルカメラと、請求項３〜１５の何れか１項に記載の画像データ処理装置とを有することを特徴とする画像データ処理システム。
【請求項１７】  通信回線を介してデジタルカメラと接続して画像データ処理システムを構成する画像データ処理装置を用いた画像データ処理方法であって、
前記通信回線を介して接続されたデジタルカメラから転送された１つ以上のサムネイル画像を、前記デジタルカメラに格納されている主画像に対して１対１に対応可能に管理するサムネイル画像管理工程と、
前記サムネイル画像管理工程により管理されているサムネイル画像に対応する主画像の転送を前記デジタルカメラに要求する主画像転送要求工程とを有することを特徴とする画像データ処理方法。
【請求項１８】  前記サムネイル画像管理工程において１対１に対応可能に管理されているサムネイル画像を表示装置に表示する表示工程と、
前記表示装置に表示された１つ以上のサムネイル画像から所望の画像を選択する選択工程とを有し、
前記主画像転送要求工程においては、前記選択工程によって選択されたサムネイル画像を有する主画像の転送を前記デジタルカメラに要求することを特徴とする請求項１７に記載の画像データ処理方法。
【請求項１９】  前記デジタルカメラから転送された画像を印刷装置により印刷する印刷工程を有し、
前記デジタルカメラから転送された主画像を印刷することを特徴とする前記請求項１７または１８に記載の画像データ処理方法。
【請求項２０】  前記主画像転送要求工程においては、前記印刷装置に合致する画素数を指定して主画像の転送を前記デジタルカメラに要求することを特徴とする請求項１９に記載の画像データ処理方法。
【請求項２１】  前記デジタルカメラから受信した画像ファイルをインターネットサーバーに格納する画像ファイル格納工程を有することを特徴とする請求項１７〜２０の何れか１項に記載の画像データ処理方法。
【請求項２２】  前記画像ファイル格納工程においては、前記デジタルカメラから受信したサムネイル画像を格納する場合に、前記デジタルカメラの画像ファイル記憶媒体に格納されている主画像と同じディレクトリ構造と同じファイル名で前記画像記憶媒体に格納し、前記画像記憶媒体に格納したファイルがサムネイル画像であることを示すためにファイルの拡張子を変更することを特徴とする請求項１７〜２１の何れか１項に記載の画像データ処理方法。
【請求項２３】  前記画像ファイル格納工程においては、前記デジタルカメラから受信したサムネイル画像を格納する場合に、前記デジタルカメラの画像ファイル記憶媒体に格納されている主画像の規格であるＤＣＦ（Ｄｅｓｉｇｎ  ｒｕｌｅ  ｆｏｒ  Ｃａｍｅｒａ  Ｆｉｌｅ  ｓｙｓｔｅｍ）規格に従ったディレクトリ構造及びファイル名をディレクトリ番号及びファイル番号の組み合わせで管理して、前記画像記憶媒体に格納したファイルがサムネイル画像であることを示すためにファイルの拡張子を変更することを特徴とする請求項１７〜２１の何れか１項に記載の画像データ処理方法。
【請求項２４】  前記画像ファイル格納工程においては、前記デジタルカメラから主画像を受信した場合に、前記主画像に該当するサムネイル画像を削除し、前記ファイル内にサムネイル画像を有する主画像を格納することを特徴とする請求項１７〜２１の何れか１項に記載の画像データ処理方法。
【請求項２５】  前記画像ファイル格納工程においては、前記デジタルカメラから主画像を受信した場合に、前記印刷処理を含む特定の処理にのみ前記主画像を使用し、既に受信している該当するサムネイル画像を削除せずに保持することを特徴とする請求項１７〜２４の何れか１項に記載の画像データ処理方法。
【請求項２６】  前記画像ファイル格納工程においては、前記デジタルカメラから主画像を受信した場合に、前記主画像に該当するサムネイル画像と前記受信した主画像との置き換えを行うか、これらの画像を置き換えずに前記印刷処理を含む特定の処理にのみ前記主画像を使用した後で、前記受信した主画像を廃棄するかをユーザーによって選択可能とすることを特徴とする請求項１７〜２４の何れか１項に記載の画像データ処理方法。
【請求項２７】  前記デジタルカメラから受信して画像記憶媒体に格納した画像ファイル内にサムネイル画像を有する主画像に有効期限を設ける期限設定工程を有し、
前記期限設定工程によって設定された有効期限が切れた場合に、前記主画像内のサムネイル画像を該当画像ファイルとして残し、前記有効期限が切れた主画像自体は削除するようにしたことを特徴とする請求項１７〜２６の何れか１項に記載の画像データ処理方法。
【請求項２８】  前記請求項１〜１５の何れか１項に記載の各手段としてコンピュータを機能させるためのプログラムを記録したことを特徴とするコンピュータ読み取り可能な記憶媒体。
【請求項２９】  前記請求項１７〜２７の何れか１項に記載の各工程をコンピュータに実行させるためのプログラムを記録したことを特徴とするコンピュータ読み取り可能な記憶媒体。
【請求項３０】  前記請求項１７〜２７の何れか１項に記載の各工程をコンピュータに実行させることを特徴とするコンピュータプログラム。
【手続補正２】
【補正対象書類名】明細書
【補正対象項目名】００３２
【補正方法】変更
【補正の内容】
【００３２】
本発明の画像データ処理装置は、通信回線を介してデジタルカメラと接続して画像データ処理システムを構成可能な画像データ処理装置であって、前記通信回線を介して接続されたデジタルカメラから転送された１つ以上のサムネイル画像を、前記デジタルカメラに格納されている主画像に対して１対１に対応可能に管理するサムネイル画像管理手段と、前記サムネイル画像管理手段により管理されているサムネイル画像に対応する主画像の転送を前記デジタルカメラに要求する主画像転送要求手段とを有することを特徴とする。
また、本発明の他の特徴とするところは、前記サムネイル画像管理手段に１対１に対応可能に管理されているサムネイル画像を表示装置に表示する表示手段と、前記表示装置に表示された１つ以上のサムネイル画像から所望の画像を選択する選択手段とを有し、前記主画像転送要求手段は、前記選択手段によって選択されたサムネイル画像を有する主画像の転送を前記デジタルカメラに要求することを特徴とする。
また、本発明のその他の特徴とするところは、前記デジタルカメラから転送された画像を印刷する印刷手段を有し、前記印刷手段を用いて前記デジタルカメラから転送された主画像を印刷することを特徴とする。
また、本発明のその他の特徴とするところは、前記主画像転送要求手段は、前記印刷手段に合致する画素数を指定して主画像の転送を前記デジタルカメラに要求することを特徴とする。
また、本発明のその他の特徴とするところは、前記デジタルカメラから受信した画像ファイルをインターネットサーバーに格納する画像ファイル格納手段を有することを特徴とする。
また、本発明のその他の特徴とするところは、前記画像ファイル格納手段は、前記デジタルカメラから受信したサムネイル画像を格納する場合に、前記デジタルカメラの画像ファイル記憶手段に格納されている主画像と同じディレクトリ構造と同じファイル名で画像記憶媒体に格納し、前記画像記憶媒体に格納したファイルがサムネイル画像であることを示すためにファイルの拡張子を変更することを特徴とする。
また、本発明のその他の特徴とするところは、前記画像ファイル格納手段は、前記デジタルカメラから受信したサムネイル画像を格納する場合に、前記デジタルカメラの画像ファイル記憶手段に格納されている主画像の規格であるＤＣＦ（Ｄｅｓｉｇｎ  ｒｕｌｅ  ｆｏｒ  Ｃａｍｅｒａ  Ｆｉｌｅ  ｓｙｓｔｅｍ）規格に従ったディレクトリ構造及びファイル名をディレクトリ番号及びファイル番号の組み合わせで管理して、前記画像記憶媒体に格納したファイルがサムネイル画像であることを示すためにファイルの拡張子を変更することを特徴とする。
また、本発明のその他の特徴とするところは、前記画像ファイル格納手段は、前記デジタルカメラから主画像を受信した場合に、前記主画像に該当するサムネイル画像を削除し、前記ファイル内にサムネイル画像を有する主画像を格納することを特徴とする。
また、本発明のその他の特徴とするところは、前記画像ファイル格納手段は、前記デジタルカメラから主画像を受信した場合に、前記印刷処理を含む特定の処理にのみ前記主画像を使用し、既に受信している該当するサムネイル画像を削除せずに保持することを特徴とする。
また、本発明のその他の特徴とするところは、前記画像ファイル格納手段は、前記デジタルカメラから主画像を受信した場合に、前記主画像に該当するサムネイル画像と前記受信した主画像との置き換えを行うか、これらの画像を置き換えずに前記印刷処理を含む特定の処理にのみ前記主画像を使用した後で、前記受信した主画像を廃棄するかをユーザーによって選択可能とすることを特徴とする。
また、本発明のその他の特徴とするところは、前記通信回線を介して行う通信手段として、シリアル通信またはＵＳＢ通信を含む有線通信を用いることを特徴とする。
また、本発明のその他の特徴とするところは、前記通信回線を介して行う通信手段として、ブルートゥース（Ｂｌｕｅｔｏｏｔｈ）通信またはモデム通信を含む無線通信を用いることを特徴とする。
また、本発明のその他の特徴とするところは、前記デジタルカメラから受信して画像記憶媒体に格納した画像ファイル内にサムネイル画像を有する主画像に有効期限を設ける期限設定手段を有し、前記期限設定手段によって設定された有効期限が切れた場合に、前記主画像内のサムネイル画像を該当画像ファイルとして残し、前記有効期限が切れた主画像自体は削除するようにしたことを特徴とする。
【手続補正３】
【補正対象書類名】明細書
【補正対象項目名】００３４
【補正方法】変更
【補正の内容】
【００３４】
本発明の画像データ処理方法は、通信回線を介してデジタルカメラと接続して画像データ処理システムを構成する画像データ処理装置を用いた画像データ処理方法であって、前記通信回線を介して接続されたデジタルカメラから転送された１つ以上のサムネイル画像を、前記デジタルカメラに格納されている主画像に対して１対１に対応可能に管理するサムネイル画像管理工程と、前記サムネイル画像管理工程により管理されているサムネイル画像に対応する主画像の転送を前記デジタルカメラに要求する主画像転送要求工程とを有することを特徴とする。
また、本発明の他の特徴とするところは、前記サムネイル画像管理工程において１対１に対応可能に管理されているサムネイル画像を表示装置に表示する表示工程と、前記表示装置に表示された１つ以上のサムネイル画像から所望の画像を選択する選択工程とを有し、前記主画像転送要求工程においては、前記選択工程によって選択されたサムネイル画像を有する主画像の転送を前記デジタルカメラに要求することを特徴とする。
また、本発明のその他の特徴とするところは、前記デジタルカメラから転送された画像を印刷装置により印刷する印刷工程を有し、前記デジタルカメラから転送された主画像を印刷することを特徴とする。
また、本発明のその他の特徴とするところは、前記主画像転送要求工程においては、前記印刷装置に合致する画素数を指定して主画像の転送を前記デジタルカメラに要求することを特徴とする。
また、本発明のその他の特徴とするところは、前記デジタルカメラから受信した画像ファイルをインターネットサーバーに格納する画像ファイル格納工程を有することを特徴とする。
また、本発明のその他の特徴とするところは、前記画像ファイル格納工程においては、前記デジタルカメラから受信したサムネイル画像を格納する場合に、前記デジタルカメラの画像ファイル記憶媒体に格納されている主画像と同じディレクトリ構造と同じファイル名で前記画像記憶媒体に格納し、前記画像記憶媒体に格納したファイルがサムネイル画像であることを示すためにファイルの拡張子を変更することを特徴とする。
また、本発明のその他の特徴とするところは、前記画像ファイル格納工程においては、前記デジタルカメラから受信したサムネイル画像を格納する場合に、前記デジタルカメラの画像ファイル記憶媒体に格納されている主画像の規格であるＤＣＦ（Ｄｅｓｉｇｎ  ｒｕｌｅ  ｆｏｒ  Ｃａｍｅｒａ  Ｆｉｌｅ  ｓｙｓｔｅｍ）規格に従ったディレクトリ構造及びファイル名をディレクトリ番号及びファイル番号の組み合わせで管理して、前記画像記憶媒体に格納したファイルがサムネイル画像であることを示すためにファイルの拡張子を変更することを特徴とする。
また、本発明のその他の特徴とするところは、前記画像ファイル格納工程においては、前記デジタルカメラから主画像を受信した場合に、前記主画像に該当するサムネイル画像を削除し、前記ファイル内にサムネイル画像を有する主画像を格納することを特徴とする。
また、本発明のその他の特徴とするところは、前記画像ファイル格納工程においては、前記デジタルカメラから主画像を受信した場合に、前記印刷処理を含む特定の処理にのみ前記主画像を使用し、既に受信している該当するサムネイル画像を削除せずに保持することを特徴とする。
また、本発明のその他の特徴とするところは、前記画像ファイル格納工程においては、前記デジタルカメラから主画像を受信した場合に、前記主画像に該当するサムネイル画像と前記受信した主画像との置き換えを行うか、これらの画像を置き換えずに前記印刷処理を含む特定の処理にのみ前記主画像を使用した後で、前記受信した主画像を廃棄するかをユーザーによって選択可能とすることを特徴とする。
また、本発明のその他の特徴とするところは、前記デジタルカメラから受信して画像記憶媒体に格納した画像ファイル内にサムネイル画像を有する主画像に有効期限を設ける期限設定工程を有し、前記期限設定工程によって設定された有効期限が切れた場合に、前記主画像内のサムネイル画像を該当画像ファイルとして残し、前記有効期限が切れた主画像自体は削除するようにしたことを特徴とする。
【手続補正４】
【補正対象書類名】明細書
【補正対象項目名】００３５
【補正方法】変更
【補正の内容】
【００３５】
本発明の記憶媒体は、前記に記載の各手段としてコンピュータを機能させるためのプログラムを記録したことを特徴とする。
また、本発明の他の特徴とするところは、前記に記載の各工程をコンピュータに実行させるためのプログラムを記録したことを特徴とする。
【手続補正５】
【補正対象書類名】明細書
【補正対象項目名】００３６
【補正方法】変更
【補正の内容】
【００３６】
本発明のコンピュータプログラムは、前記に記載の各工程をコンピュータに実行させることを特徴とする。
【手続補正６】
【補正対象書類名】明細書
【補正対象項目名】００３８
【補正方法】変更
【補正の内容】
【００３８】
図１は、本発明の画像データ処理装置としての印刷装置（印刷手段）付ＰＤＡの一実施の形態を説明するブロック図である。
図１において、１００は画像データ処理装置の画像データ転送装置であるデジタルカメラと画像データの通信処理及び画像選択処理及び印刷処理を行うマイクロコンピュータ（ＣＰＵ）である。
【手続補正７】
【補正対象書類名】明細書
【補正対象項目名】００４９
【補正方法】変更
【補正の内容】
【００４９】
２０３は、図１の操作部１０３を構成するキー群であり、２０２に表示された画像データを選択するための十字キー（画像データ選択手段として機能する）や決定やキャンセルといった機能キーから構成されている。２０４は、図１のプリンタ部１０７において印刷された用紙２０５を排出するための排出口である。２０６は図１のプリンタ部１０７において用紙カートリッジ１０８を挿入する挿入口である。
【手続補正８】
【補正対象書類名】明細書
【補正対象項目名】００５０
【補正方法】変更
【補正の内容】
【００５０】
図４は、画像データ処理装置に通信手段で接続可能な画像データ転送処理装置としてのデジタルカメラを示す。
図４において、３００はデジタルカメラであり、３０１は画像データ処理装置の図１にあるインターフェース部１０６とＢｌｕｅｔｏｏｔｈ通信によって画像データの転送を行うためのＲＦアンテナ部である。すなわち、本実施形態のデジタルカメラは、Ｂｌｕｅｔｏｏｔｈを通信回線として画像データ処理装置と接続され、画像データ処理システムを構成している。
【手続補正９】
【補正対象書類名】明細書
【補正対象項目名】００５２
【補正方法】変更
【補正の内容】
【００５２】
図５では、画像データ転送処理装置であるデジタルカメラ３００がＤＣＦ規格に準拠している場合のデジタルカメラで撮影された画像データがコンパクトフラッシュ（登録商標）等の記憶媒体（画像ファイル記憶手段）にどのように格納されているかを示す。
【手続補正１０】
【補正対象書類名】明細書
【補正対象項目名】００６４
【補正方法】変更
【補正の内容】
【００６４】
ＪＰＥＧファイルにおけるマーカーセグメントの大きさの規定によりサムネイル画像のデータサイズは６４Ｋバイトを超えることはない。したがって、ＤＣＦ規格に対応したデジタルカメラは、通信手段によって接続された画像データ処理装置からの画像データ転送要求により、サムネイル画像の転送要求であれば主画像ファイル中に格納されているサムネイル画像情報、図６の５０９〜５１５、を転送（サムネイル画像転送）し、主画像の転送要求（主画像転送要求）であればそのファイル内にサムネイル画像を含む主画像ファイル、図６の５００〜５０７を転送（主画像転送）する。
【手続補正１１】
【補正対象書類名】明細書
【補正対象項目名】００６５
【補正方法】変更
【補正の内容】
【００６５】
そして、画素数指定の主画像の転送要求であれば指定された画素数に合致する画素数に変換後にそのファイル内にサムネイル画像を含む画素数変換主画像、すなわち、５０２〜５０６の情報を指定された画素数に変換後の主画像ファイル（画素数変換主画像ファイル）情報５００〜５０７を転送する。
【手続補正１２】
【補正対象書類名】明細書
【補正対象項目名】００６８
【補正方法】変更
【補正の内容】
【００６８】
６０２と６０３はデジタルカメラ３００から転送されたサムネイル画像データをいくつかの集まりで管理（サムネイル画像管理）するためのディレクトリであり、図５で示した転送元のデジタルカメラ３００のディレクトリ４０２及び４０３と同一である。
【手続補正１３】
【補正対象書類名】明細書
【補正対象項目名】００７２
【補正方法】変更
【補正の内容】
【００７２】
図８で、７００〜７０５は、図５で示した転送元のデジタルカメラ３００の主画像ファイル４０４〜４０９と１対１に対応可能な関係を構成する。ただし、転送元のデジタルカメラ３００に格納されている主画像ファイルのディレクトリ番号（「１００ＡＢＣＤＥ」４０２の「１００」）と、ファイル番号（「ＰＨＯＴ０００１」４０４の「０００１」）との組み合わせをファイル名とし、複雑なディレクトリ管理をすることなく転送されたサムネイル画像データを管理する。
【手続補正１４】
【補正対象書類名】明細書
【補正対象項目名】００７５
【補正方法】変更
【補正の内容】
【００７５】
処理が開始されると、最初のステップＳ１０では、デジタルカメラ３００によって撮影され、コンパクトフラッシュ（登録商標）等の記憶媒体に格納されている画像データがあるかどうかを問い合わせる。この問い合わせの結果、画像データがあればステップＳ２０に進み、なければステップＳ１６０でデジタルカメラ３００に転送すべき画像データがないことを表示器（表示装置）２０２に示し、ステップＳ１７０でデジタルカメラ３００との接続を切断して処理を終了する。
【手続補正１５】
【補正対象書類名】明細書
【補正対象項目名】００８７
【補正方法】変更
【補正の内容】
【００８７】
次に、ステップＳ１４０においては、受信した主画像を既に受信しているサムネイル画像と置き換えるかどうかを判定する。この判定は、ＲＯＭ１０１に予め格納されている情報に基づいてもよいし、ユーザーによる初期設定に基づいていてもよいし、ユーザーに問い合わせる形式でもよい。すなわち、ユーザーが選択可能に構成してもよい。また、ステップＳ１４０の判定には、ステップＳ１１０の判定も含み、既に前記主画像が受信されている場合は、置き換えない判定とする。